(57)【要約】      （修正有）【課題】データ放送の保存領域が小さいワンセグ受信機を装備した携帯端末へ、詳細な情報提供を可能とする。【解決手段】通信ネットワークを介して視聴者の閲覧要求情報を収集する１次リンクデータサーバと、データ放送コンテンツの素材を格納し前記１次リンクデータサーバが収集した閲覧要求情報によってコンテンツを再構成することで、目的とするデータ放送コンテンツを生成するデータ放送構成部とを有し、前記データ放送構成部が生成したデータ放送コンテンツを番組送信部から直ちに送信することで、視聴者が必要とするデータ放送コンテンツをリアルタイムで視聴者受信端末に向けて放送する。【選択図】図２
2012060316.tif 000002
【特許請求の範囲】
【請求項１】
デジタル放送受信機能を有する端末装置の利用者に対して情報を提供する情報提供システムであって、
通信ネットワークを介して視聴者の閲覧要求情報を収集する１次リンクデータサーバと、
データ放送コンテンツの素材を格納し前記１次リンクデータサーバが収集した閲覧要求情報によってコンテンツを再構成することで、目的とするデータ放送コンテンツを生成するデータ放送構成部と、
を有し、
前記データ放送構成部が生成したデータ放送コンテンツを番組送信部から直ちに送信することで、視聴者が必要とするデータ放送コンテンツをリアルタイムで視聴者受信端末に向けて放送することを特徴とするデータ放送作成手段。
【請求項２】
前記１次リンクデータサーバが収集する閲覧要求情報は、過去からの閲覧要求情報の履歴情報であり、新たに視聴者が閲覧要求情報を発さずとも、前記履歴情報が示す視聴者の嗜好の推定によって、コンテンツを再構成することを特徴とする請求項１に記載のデータ放送作成手段。
【請求項３】
前記１次リンクデータサーバが収集する閲覧要求情報は、視聴者受信端末が有するアプリケーションが監視し送信する視聴者の閲覧の履歴情報であり、該履歴情報が示す視聴者の嗜好の推定によって、コンテンツを再構成することを特徴とする請求項１に記載のデータ放送作成手段。
【請求項４】
前記１次リンクデータサーバが収集する閲覧要求情報は、視聴者受信端末が有するアプリケーションに対して視聴者が予め登録した閲覧嗜好情報であり、該閲覧嗜好情報によって、コンテンツを再構成することを特徴とする請求項１に記載のデータ放送作成手段。
【発明の詳細な説明】
【技術分野】
【０００１】
本発明は、放送あるいは通信を利用して端末へ情報を提供する情報提供システムおよび情報提供方法に関する。
【背景技術】
【０００２】
放送事業者はワンセグ放送に関して、一般のテレビと同じ番組に加えて、番組を楽しむためにワンセグ専用に制作したデータ放送コンテンツも利用しており、各放送局はそれぞれの特色を活かした展開を図っている。しかし、ワンセグデータ放送のビットレートは数十ｋｂｐｓ程度であり、これ自体では複雑な画像を伴うようなサービスは難しい。
【０００３】
従ってワンセグ専用データ放送には、クリックすることによってインターネット回線に接続するなど「放送と通信の連携機能」が数多く用意されており、携帯電話事業者各社からもまた次世代のモバイル関連ビジネス活性化の観点からも各所から期待されており、今後各方面からの更なる活性化が予測される。
【０００４】
データ放送で受信される放送コンテンツは、放送波の中に含められたＢＭＬ（Ｂｒｏａｄｃａｓｔｉｎｇ  Ｍａｒｋｕｐ  Ｌａｎｇｕａｇｅ）と呼ばれる言語で記述され、データ放送ブラウザとしてのＢＭＬブラウザが利用される。ＢＭＬは、ＢＴＢ（Ｂｉｎａｒｙ  Ｔａｂｌｅ）ファイルと呼ばれる外部データファイルを読み込むことが可能である。ＢＭＬでは、データ放送ブラウザ上で動的な処理を実現するＥＣＭＡＳｃｒｉｐｔというスクリプトが稼動可能である。
【０００５】
放送局の側からは、データ放送で提供できるデータ（データ放送コンテンツ）の情報量は限られるため、放送により提供される情報を通信で補うために、データ放送コンテンツの中からリンクされる情報が置かれるサーバとして１次リンクサーバと呼ばれるサーバを用意している（特許文献１参照）。１次リンクサーバでは、ＢＭＬで記述されたコンテンツを提供し、端末ではこのコンテンツをＢＭＬブラウザがデータ放送コンテンツと同様に取り扱う。
【０００６】
また、データ放送の内容に関して、観光スポットや商店街などのクチコミ情報など、利用者が寄せた情報を随時表示する手段が提案されている（特許文献２参照）。このように、将来、ワンセグ動画を補助する目的や、あるいは情報提示の主な手段としてもデータ放送がさらに拡充していくとみられている。
【先行技術文献】
【特許文献】
【０００７】
【特許文献１】特開２００７−３６９０１号公報
【特許文献２】特開２０１０−１４１４８４号公報
【発明の概要】
【発明が解決しようとする課題】
【０００８】
しかしながら、前記のようにワンセグデータ放送の内容が拡充されつつあるにもかかわらず、ワンセグ受信機を装備した携帯端末のデータ放送用保存領域は一般に２５６ｋＢ程度と小さいために、放送局側から携帯端末へ向けて一度に大量の情報を送ることは難しい。
【０００９】
このように保存領域が不十分であることによって、情報を細切れにした送信が必要となり、リアルタイム性が損なわれる原因ともなっている。また、送信される情報の中には利用者にとって不要なものも含まれるため、携帯端末のデータ放送保存領域を有効に使っているとは言い難いのが現状である。
【００１０】
上記のことを鑑みて、本発明では、携帯端末が有するデータ放送保存領域が小さくとも、利用者にとって必要な情報を過不足無くリアルタイムに送信することを目的とするものであり、番組作成装置において情報の取捨を行うための手段を提案するものである。
【課題を解決するための手段】
【００１１】
前記課題を解決するために本発明は次のような手段を取るものである。
つまり、デジタル放送受信機能を有する端末装置の利用者に対して情報を提供する情報提供システムであって、
通信ネットワークを介して視聴者の閲覧要求情報を収集する１次リンクデータサーバと、
データ放送コンテンツの素材を格納し前記１次リンクデータサーバが収集した閲覧要求情報によってコンテンツを再構成することで、目的とするデータ放送コンテンツを生成するデータ放送構成部と、
を有し、
前記データ放送構成部が生成したデータ放送コンテンツを番組送信部から直ちに送信することで、視聴者が必要とするデータ放送コンテンツをリアルタイムで視聴者受信端末に向けて放送することを特徴とするデータ放送作成手段。
【００１２】
また本発明は、前記１次リンクデータサーバが収集する閲覧要求情報は、過去からの閲覧要求情報の履歴情報であり、新たに視聴者が閲覧要求情報を発さずとも、前記履歴情報が示す視聴者の嗜好の推定によって、コンテンツを再構成することを特徴とするデータ放送作成手段である。
【００１３】
また本発明は、前記１次リンクデータサーバが収集する閲覧要求情報は、視聴者受信端末が有するアプリケーションが監視し送信する視聴者の閲覧の履歴情報であり、該履歴情報が示す視聴者の嗜好の推定によって、コンテンツを再構成することを特徴とするデータ放送作成手段である。
【００１４】
また本発明は、前記１次リンクデータサーバが収集する閲覧要求情報は、視聴者受信端末が有するアプリケーションに対して視聴者が予め登録した閲覧嗜好情報であり、該閲覧嗜好情報によって、コンテンツを再構成することを特徴とするデータ放送作成手段である。
【発明の効果】
【００１５】
ワンセグ端末のデータ放送保存領域が一般に２５６ｋＢ程度と小さいという制約のため、多くの情報を一度に送受信することは出来ないが、本発明によれば、番組作成装置は利用する視聴者が欲する情報のみに絞り込んだ情報を送信できるようになるため、受信側におけるデータ放送保存領域が小さくとも、これを保存することが可能になる。
【００１６】
従来は、１次リンクサーバが前記ＢＭＬで記述されたコンテンツとして追加情報を提供することで、ワンセグ端末のデータ放送保存領域が小さいことによる提供情報の欠乏を回避していたのだが、本発明では、１次リンクサーバはこのような追加情報の提供をしないため、エリアワンセグといった１次リンクによる追加情報の提供を使用できない放送形態であっても視聴者に好適な放送が可能になる。
【図面の簡単な説明】
【００１７】
【図１】携帯端末の表示領域における動画とデータ放送の一例を示した図である。
【図２】第１の実施例を示した図である。
【図３】第２の実施例を示した図である。
【図４】第３の実施例を示した図である。
【図５】第４の実施例を示した図である。
【図６】下層に進むにつれて提供する情報を絞り込んでいる様子を示した図である。
【図７】本発明の手順と従来の手順の相違点を示した図である。
【発明を実施するための形態】
【実施例】
【００１８】
本発明の好適な実施の形態について、図を参照して説明する。
【００１９】
図１は携帯端末が有する表示部１０１におけるワンセグ動画領域１０３とデータ放送領域１０５の一例を示したものである。データ放送領域１０５には４つの項目情報が表示されており、利用者はこれを選択して、さらに詳細な情報を得ることが出来る。
【００２０】
しかるにデータ放送領域１０５に情報を表示させるために必要な、該情報を格納するデータ放送保存領域は一般に２５６ｋＢ程度と小容量であるため、４つの項目全てに関する詳細情報を予めデータ放送保存領域に蓄積させておくことは難しく、従って、利用者が項目を選択してからその項目に関する詳細情報を再度受信することになり、このことにより従来はリアルタイム性が損なわれていた。
【００２１】
以下に視聴者が希望のコンテンツを閲覧するための４つの手段を示す。
【００２２】
（第１の実施形態）
図２は第１の実施形態を示した図である。一般にデータ放送において、放送データからリンクされているサーバを、利用する携帯端末に対する１次リンクと呼んでいるが、テレビ局においては、該１次リンクを用いて前記ＢＭＬコンテンツとして、データ放送サーバより追加情報を提供している。
【００２３】
このような１次リンクを用いての放送は、携帯電話事業者と放送事業者の合意に基づいた運用規定によって定められている制約であり、携帯端末のデータ放送に対応するためのデータ保存領域が小さくとも、前記規定により、必要な情報を１次リンクから得ることが出来るため、データ放送における「多くの情報を一度に送出できない」という問題を放送事業者は回避することができる。
【００２４】
しかるに特定地域向けのエリアワンセグ放送といった、放送事業者による放送以外においては、前記運用規定によって１次リンクのデータ放送サーバによる番組送信が出来ない。本発明は該状況下でデータ放送保存領域の小さな携帯端末であっても、必要充分なデータ放送を行うことを目的とするものである。
【００２５】
番組作成装置２０１においては、１次リンクデータサーバ２０９が放送すべき番組情報をデータ放送構成部２０５に伝送し、該番組情報に基づいてデータ放送構成部２０５はデータ放送コンテンツを作成する。そして番組作成部２０３は該データ放送コンテンツを番組送信部２０７から所定のプロトコルで送信するよう指示する。
【００２６】
番組送信部２０７から送信されたデータ放送は、通信網を介してエリア放送装置２１３に伝送され、該エリア放送装置２１３の受信部２１５で受信し、ワンセグ放送向けに変調部２１７で変調し、ＲＦ送出部２１９から送出する。
【００２７】
本発明においては、ＲＦ送出部２１９から送出されるエリアワンセグ放送は、放送免許の不要な微弱電波である場合を含むものであり、放送波強度についてはこれを限定しない。
【００２８】
前記エリアワンセグ放送は利用者が所持する視聴者受信端末２２３で受信され、視聴者２２５は該端末の表示装置を介してデータ放送を閲覧できる。その際、視聴者２２５は必要とする情報を得られるよう、視聴者受信端末２２３を操作する。
【００２９】
例えば図１において「スポーツニュース」を視聴者２２５が選択した場合は、視聴者受信端末から１次リンクサーバに該選択情報が伝送される。従来は１次リンクサーバが前記運用規定に則って対応する情報を視聴者に向けて送信していたのであるが、本発明では、１次リンクサーバ２０９は視聴者２２５が必要とする情報が何であるのかを受信するのみであり、該視聴者が必要とする「スポーツニュース」に関する情報を満たす放送コンテンツは番組送信部２０７から通常のデータ放送として視聴者２２５に向けて放送される。
【００３０】
従って、前記運用規定の枠外であるところの放送事業者以外による放送であっても、１次リンクを用いた視聴者による指定情報を用いて、該視聴者の要求に沿ったデータ放送が可能になる。
【００３１】
（第２の実施形態）
次に、図３は第２の実施形態を示した図である。第１の実施形態との違いは、１次リンクデータサーバ２０９からデータ放送構成部２０５に伝送される情報が、第１の実施形態では１次リンクに対して視聴者がどういった情報を要求したかというものであったのに対して、第２の実施形態では過去の１次リンクに対する要求の履歴であることが特徴である。
【００３２】
従って、視聴者受信端末２２３から１次リンクデータサーバ２０９に対しては、前記「スポーツニュース」などの選択情報（１次リンク指定情報）と、閲覧履歴を管理するための視聴者受信端末の端末ＩＤが伝送される。
【００３３】
１次リンクデータサーバ２０９では、前記端末ＩＤと前記１次リンク指定情報が蓄積され、該端末ＩＤを持つ視聴者受信端末において多く指定される１次リンク指定情報に関する番組コンテンツを番組送信部２０７から送信する。
【００３４】
つまり、該端末ＩＤからの１次リンク指定情報の多くが、階層別に「スポーツニュース」、「プロ野球情報」、「巨人軍」である場合、該視聴者受信端末に対するエリアワンセグ放送のデータ放送コンテンツとして、１次リンク指定情報を送られなくとも「巨人軍」に関する番組コンテンツを放送することが可能になる。
【００３５】
なお、履歴情報の集計方法は本発明ではこれを限定しない。つまり、過去に最も多く参照された１次リンク指定情報による番組作成である場合や、時間的に近い１次リンク指定情報に対して重み付けをする場合や、過去に最も多く連続して参照された１次リンク指定情報による番組作成である場合など、様々な集計方法が考えられる。
【００３６】
（第３の実施形態）
次に、図４は第３の実施形態を示した図である。第２の実施形態との違いは、視聴者の１次リンク指定履歴の蓄積方法にある。つまり、第２の実施形態によれば、視聴者が指定する１次リンク情報を蓄積し集計したが、第３の実施形態では、視聴者受信端末が有する、あるいは別途ダウンロードしたアプリケーションが視聴者のデータ放送閲覧の推移をパケット通信情報として、逐次１次リンクデータサーバ２０９に伝送するものである。
【００３７】
１次リンクデータサーバ２０９は、視聴者受信端末２２３のアプリケーションから伝送されてきた視聴者２２５の嗜好情報を受信し、データ放送構成部２０５にてデータ放送コンテンツを適宜作成する。
【００３８】
つまり、第１の実施形態あるいは第２の実施形態では、あくまでも視聴者による１次リンクの参照情報を元に番組が作成されていたのであるが、第３の実施形態では、視聴者の閲覧先が１次リンクではないものであっても、視聴者のパケット通信情報（嗜好情報）を閲覧履歴情報として、前記アプリケーションが１次リンクデータサーバに伝送するところに特徴がある。
【００３９】
なお、第２の実施形態と同様に、履歴情報の集計方法は本発明ではこれを限定しない。つまり、過去に最も多く用いられたパケット通信情報による番組作成である場合や、時間的に近いパケット通信情報に対して重み付けをする場合や、過去に最も多く連続して用いられたパケット通信情報による番組作成である場合など、様々な集計方法が考えられる。
【００４０】
（第４の実施形態）
次に、図５は第４の実施形態を示した図である。第３の実施形態との違いは、第３の実施形態はアプリケーションが視聴者の視聴習慣を読み取り、１次リンクデータサーバ２０９に伝送したのに対し、第四の実施形態は、視聴者２２５が予め閲覧の嗜好を視聴者受信端末２２３が有する、あるいはダウンロードしたアプリケーションに設定情報として登録しておくことにある。
【００４１】
該アプリケーションは該設定情報を１次リンクデータサーバ２０９に伝送し、データ放送構成部２０５では前記設定情報を元にデータ放送コンテンツを作成する。視聴者の手間が増えるが、誤った内容の放送コンテンツになることがなく、最も誤動作の少ない手段である。
【００４２】
以上説明したように、本発明は、図１において、例えば視聴者が「スポーツニュース」を選択した場合に、その下層であるところの「野球ニュース」や「サッカーニュース」といったコンテンツのうち、どの内容に相当するデータ放送コンテンツを視聴者受信端末に向けて放送するかを絞り込むものである。
【００４３】
つまり、従来は１次リンクデータサーバが情報を提供してリアルタイム性を確保していたところを、図６に示すように、視聴者が「スポーツニュース」を選択したら次に送信する情報は「野球ニュース」を、また、視聴者が「野球ニュース」を選択したら次に送信する情報は「巨人軍ニュース」を、といったように視聴者の嗜好に沿った情報の絞り込みをすることで、１次リンクデータサーバによるＢＭＬコンテンツの情報提供が無くともリアルタイムなデータ放送を可能にすることを特徴とするものである。
【００４４】
次に従来の手順と本発明にかかる手順の比較を図７に示す。従来のデータ放送は、放送局から情報の見出しを送信し（Ｓ７０１）、視聴者は必要な情報をクリック動作などによって指定し（Ｓ７０３）、Ｓ７０１によって送信できなかった情報については１次リンクサーバからＢＭＬコンテンツとして視聴者に送信し（Ｓ７０５）、視聴者はこれをＢＭＬブラウザで閲覧していた（Ｓ７０７）。
【００４５】
本発明によれば、放送局からは視聴者が欲すると予測される情報を送信し（Ｓ７１１）、視聴者はそこからさらに下位の情報の見出しを選択し（Ｓ７１３）、該選択情報は１次リンクサーバに伝送され、放送局の番組作成装置によって視聴者の嗜好を追加・修正して最適情報の生成を行い（Ｓ７１５）、視聴者はこれを通常のデータ放送として視聴することになる（Ｓ７１７）。
【００４６】
ここでＳ７１５としては、第１の実施形態では選択情報から該当する放送コンテンツを最適情報として編成するものであり、第２の実施形態では選択情報を該視聴者の選択履歴に追加し該選択履歴から推定される最適情報を編成するものであり、第３の実施形態では受信端末内のアプリケーションが送信する視聴者の嗜好履歴から推定される最適情報を編成するものであり、第４の実施形態では視聴者が受信端末内のアプリケーションに予め設定した嗜好情報により最適情報を編成するものである。
【００４７】
なお、本実施例において、各種履歴情報を元に最適な番組コンテンツを編成する手段については、これを限定するものではない。
【符号の説明】
【００４８】
１０１…表示装置、  １０３…動画表示領域、  １０５…データ放送表示領域、
２０１…番組作成装置、  ２０３…番組作成部、
２０５…データ放送構成部、  ２０７…番組送信部、
２０９…１次リンクデータサーバ、
２１３…放送装置、  ２１５…受信部、
２１７…変調部、  ２１９…ＲＦ送出部、
２２３…視聴者受信端末、  ２２５…視聴者。
【図１】
2012060316.tif 000003
【図２】
2012060316.tif 000004
【図３】
2012060316.tif 000005
【図４】
2012060316.tif 000006
【図５】
2012060316.tif 000007
【図６】
2012060316.tif 000008
【図７】
2012060316.tif 000009